(57)【特許請求の範囲】
【請求項１】
前腹部と後背部の上側にウエスト開口部が形成され、前腹部と後背部との間の股部両側にレッグ開口部が形成されてなるパンツ型の外装シートと、この外装シートの肌面側に接合された吸収性本体と、この吸収性本体の両側部に基端部が接合され、自由端部に前後方向に延びる弾性部材が伸長状態で接合された左右の立ち上がりフラップと、この立ち上がりフラップの前部上方および後部上方を覆うように配置された前後の胴回りガードとが設けられ、この胴回りガードには、左右方向に延びる弾性部材が伸長状態で接合されるとともに、両端部および外端部が上記外装シートに接合されて内端部が自由端部に形成され、この胴回りガードの内面に上記立ち上がりフラップの前部および後部の自由端部がそれぞれ接合されていて、上記立ち上がりフラップの前部と後部とが上記吸収性本体の表面には接合されていないことにより、上記左右の立ち上がりフラップと上記前後の胴回りガードとで四周囲が密閉された箱状となることを特徴とする使い捨て吸収性物品。
【発明の詳細な説明】
【０００１】
【発明の属する技術分野】
本発明は、使い捨て吸収性物品に関する。
【０００２】
【従来の技術】
従来、使い捨て吸収性物品、例えばパンツ型使い捨ておむつとしては、前腹部と後背部の上側にウエスト開口部が形成され、前腹部と後背部との間の股部両側にレッグ開口部が形成されてなるパンツ型の外装シートと、この外装シートの肌面側に接合された吸収性本体と、この吸収性本体の両側部に基端部が接合され、自由端部に前後方向に延びる弾性部材が伸長状態で接合された左右の立ち上がりフラップと、この立ち上がりフラップの前部上方および後部上方を覆うように配置された前後の胴回りガードとが設けられたものが提案されている（特開２００１−２５２３０３号公報参照）。
【０００３】
かかる従来技術は、立ち上がりフラップの前部上方および後部上方を覆う胴回りガードでポケットを形成することにより、ウエスト開口部からの尿等の漏れを防止するようにしたものである。
【０００４】
ところで、左右の立ち上がりフラップの前部と後部とは、倒伏状態で吸収性本体の表面に接合するので、通常は立ち上がらないようになっている。
【０００５】
【発明が解決しようとする課題】
したがって、着用者が仰臥位（上向きに寝る）姿勢や側臥位（横向に寝る）姿勢で排尿等をした時に、吸収性本体では吸収しきれなかった尿等が胴回りガードのポケットに入ると、ウエスト開口部からの尿等の漏れは防止できるものの、立ち上がりフラップの立ち上がらない前部と後部とを乗り越えて尿等が横漏れするおそれがあった。
【０００６】
本発明は、上記従来の問題を解消するためになされたもので、仰臥位でも側臥位でも尿等の横漏れを有効に防止できる使い捨て吸収性物品を提供することを目的とするものである。
【０００７】
【課題を解決するための手段】
上記課題を解決するために、本発明は、前腹部と後背部の上側にウエスト開口部が形成され、前腹部と後背部との間の股部両側にレッグ開口部が形成されてなるパンツ型の外装シートと、この外装シートの肌面側に接合された吸収性本体と、この吸収性本体の両側部に基端部が接合され、自由端部に前後方向に延びる弾性部材が伸長状態で接合された左右の立ち上がりフラップと、この立ち上がりフラップの前部上方および後部上方を覆うように配置された前後の胴回りガードとが設けられ、この胴回りガードには、左右方向に延びる弾性部材が伸長状態で接合されるとともに、両端部および外端部が上記外装シートに接合されて内端部が自由端部に形成され、この胴回りガードの内面に上記立ち上がりフラップの前部および後部の自由端部がそれぞれ接合されていることを特徴とする使い捨て吸収性物品を提供するものである。
【０００８】
本発明によれば、胴回りガードの内面に立ち上がりフラップの前部および後部の自由端部をそれぞれ接合することにより、胴回りガードの自由端部側が弾性部材の弾性力で立ち上がると、その立ち上がり力によって、立ち上がりフラップの前部および後部の自由端部も立ち上げられるようになるから、着用者が仰臥位（上向きに寝る）姿勢や側臥位（横向に寝る）姿勢で排尿等をした時に、吸収性本体では吸収しきれなかった尿等が胴回りガードのポケットに入ると、胴回りガードによってウエスト開口部からの尿等の漏れが防止できるとともに、立ち上がりフラップの前部と後部も立ち上がるので、この部分からの尿等の横漏れも防止できるようになる。また、左右の立ち上がりフラップの前部と後部とは、従来のように吸収性本体の表面に接合しないことから、その分だけ吸収性本体の吸収面積が広がるので、吸収効率が向上するようになる。
【０００９】
【発明の実施の態様】
以下、本発明の実施の態様を図面を参照して詳細に説明する。
【００１０】
図１はパンツ型使い捨ておむつ１の分解斜視図、図２は展開状態の平面図、図３は完成状態の正面図、図４は胴回りガード５と立ち上がりフラップ４の立ち上がった状態の模式斜視図、図５（ａ）は胴回りガード５と立ち上がりフラップ４の立ち上がっていない状態、（ｂ）は立ち上がった状態のそれぞれ図２のＡ−Ａ線断面に相当する模式図、図６（ａ）は胴回りガード５と立ち上がりフラップ４の立ち上がっていない状態、（ｂ）は立ち上がった状態のそれぞれ図２のＢ−Ｂ線断面に相当する模式図である。
【００１１】
上記パンツ型使い捨ておむつ１は、外装シート２と吸収性本体３と左右の立ち上がりフラップ４と前後の胴回りガード５とで基本構成されている。
【００１２】
上記外装シート２は、第１外装（外面）シート７と第２外装（肌面）シート８とレッグ用弾性糸９とウエスト用弾性糸１０とボディフィット用弾性糸１１とで構成されている。
【００１３】
第１外装シート７と第２外装シート８とは、パンツ型使い捨ておむつ１の外形状に形成されていて、前腹部Ｐと後背部Ｑとの間の股部Ｒの両側にはレッグ開口部Ｓが形成されている。
【００１４】
上記各外装シート７，８は、通気性に優れた合成繊維不織布製であって、第１外装シート７の上面には、各レッグ開口部Ｓの開口縁に沿って半円形状にレッグ用弾性糸９が伸長状態で添設されてレッグ用弾性部が形成されるとともに、前腹部Ｐと後背部Ｑの外端縁に沿って左右方向に直線状でウエスト用弾性糸１０が伸長状態で添設されてウエスト用弾性部が形成されるようになる。また、前腹部Ｐと後背部Ｑの上部には、左右方向に直線状でボディフィット用弾性糸１１が伸長状態で添設されてボディフィット用弾性部が形成されるようになる。
【００１５】
そして、この第１外装シート７の上面に、上記各弾性糸９〜１１を挟み込んだ状態で第２外装シート８を接着することにより、外装シート２が形成されるようになる。
【００１６】
上記外装シート２は、尿等を吸収性本体３で基本的に阻止する態様のものであるから、通気性のない不透液性素材、例えば合成樹脂フィルム素材を用いる必要はない。また、１枚のシートからなる単層構造であってもよいが、各弾性糸９〜１１を接着する必要があるので、２層構造であることがより好ましく、３層以上の構造としても良い。さらに、外装シート２としては、ある程度の引っ張り強度を有することが必要であり、かつ低コストであることも要求され、その点でスパンボンド不織布が好ましいが、それに限られず通常の不織布であっても差し支えないし、不織布を１層または２層とし、その中間に他の不織布、例えばメルトブローン不織布を間挿して機能を付加した複合シートであっても良い。さらにまた合成繊維不織布の肌触りを良好とするために、天然繊維や再生繊維を高配合した不織布を複合使用することもできる。
【００１７】
不織布材料としては、ポリプロピレンやポリエチレンからなるポリオレフィン繊維、ポリエチレンテレフタレートからなるポリエステル繊維、ナイロンからなるポリアミド繊維の如き合成繊維、コットンの如きセルロース繊維、再生繊維、パルプ繊維等が挙げられる。その内でも、ポリプロピレンからなるスパンボンド不織布やポリエステルスパンボンド不織布は、それぞれ撥水性や強度、コスト等総合的により好ましく用いられる。
【００１８】
上記各弾性糸９〜１１は、ポリウレタン糸、ポリウレタンフィルム、天然ゴム、発泡ウレタンなどが使用でき、１本のみならず複数本を添設しても良い。
【００１９】
上記吸収性本体３は、縦長長方形状のトップシート１３とバックシート１４と吸収材１５とで構成されている。なお、砂時計形状であっても良い。
【００２０】
そして、トップシート１３とバックシート１４との間に吸収材１５を挟み込んだ状態で、両シート１３，１４の外周縁を互いに接着することにより、吸収性本体３を完成させて、この吸収性本体３は、上記外装シート２の第２外装（肌面）シート８の股部Ｒの表面に、バックシート１４を接着することにより取付けている。
【００２１】
上記トップシート１３としては、例えばポリエステル、ポリプロピレン、その他の熱可塑性合成繊維、天然繊維や再生繊維からなる液透過性の不織布、織布が用いられるが、この不織布、織布は、上記繊維の単独繊維からなるものに限らず、上記の繊維を組み合わせたものからなるものであっても良い。
【００２２】
また、トップシート１３は、速やかに液を透過させる透液性が必要であるとともに、装着者の肌面に直接当たるものであるため、肌触りのよいことが求められ、従って少なくともその中央領域は親水性繊維からなるものが好ましいが、吸収材１５に吸収された尿等が外側に滲み出さないようにするために、縦方向の両端領域や横（幅）方向の両端領域を撥水化するか、撥水性繊維素材で構成することもできる。
【００２３】
上記バックシート１４は、ポリエチレン等の不透液性フィルムや防漏性の不織布、織布が用いられる。不透液性フィルムを使用する場合、蒸れを防止するために公知の透湿性フィルムを使用することが好ましい。
【００２４】
上記吸収材１５は、高吸水性ポリマーを綿状パルプ層中に均一に混合させ、場合により熱バインダー繊維を配合して形成してなる従来公知の綿状パルプを主体とするもの、あるいは、高吸水性ポリマーをレーヨン不織布層でサンドイッチ状に挟んだ非パルプ型のものであってもよい。後者の場合、吸収材１５は、極めて薄いシート状物となり、パンツ型使い捨ておむつ１のボテボテ感をなくし、肌着に近いものに構成できる点でより好ましい。
【００２５】
上記高級水性ポリマーとしては、デンプン系、セルロース系、合成ポリマー系のもの等が使用される。すなわち、デンプン−アクリル酸（塩）グラフト重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸架橋ポリエチレンオキシド、ナトリウムカルボキシメチルセルロース架橋物、ポリビニルアルコール−無水マレイン酸反応物架橋物などが挙げられる。
【００２６】
上記綿状パルプとしては、化学パルプシート、古紙パルプシート、機械パルプシートを粉砕機で解繊して得られた繊維長５ｍｍ以下のものが用いられる。そのパルプ原料としては、針葉樹に限らず広葉樹、わら、竹、ケナフなども用いられる。
【００２７】
上記左右の立ち上がりフラップ４は、上記吸収性本体３の長さとほぼ同じ長さに設定されて、各立ち上がりフラップ４の上折り返し部（自由端部）４ａにはフラップ用弾性糸１７が前後方向に伸長状態で添設されて、各上折り返し部４ａが自然に立ち上がるようになる（図４および図６（ｂ）参照）。
【００２８】
上記各立ち上がりフラップ４は、上記吸収性本体３の幅方向に離間させた状態で、基端部４ｂを吸収性本体３の下部に潜り込ませて、吸収性本体３のバックシート１４の裏面に接着することにより、立ち上がりフラップ付き吸収性本体３が構成されるようになる。
【００２９】
上記前後の胴回りガード５は、長尺シートをＵ字状に折り畳み、その折り畳み中間部内に、弾性糸１８をその長さ方向に伸長状態で添設した伸縮性のバンド体である（図１参照）。このバンド体は、伸長状態でその両端部５ａおよび外端部５ｂが上記外装シート２の第２外装シート８の表面に接着ｂされて、内端部５ｃが自由端部に形成されて、上記ガード用弾性糸１８により内端部５ｃ側がポケット入り口状に自然に立ち上がるようになる（図４および図６（ｂ）参照）。
【００３０】
上記各胴回りガード５の内面には、上記各立ち上がりフラップ４の前部および後部の上折り返し部（自由端部）４ａがそれぞれ接着ａ（図２のクロスハッチング参照）されている。
【００３１】
上記立ち上がりフラップ４および胴回りガード５としては、撥水性シートが好ましく、不織布単独で、また不織布と合成樹脂フィルムとの積層シートを用いることができる。不織布としては、スパンボンド不織布、スパンボンド不織布−メルトブローン不織布−スパンボンド不織布、スパンボンド不織布−メルトブローン不織布−メルトブローン不織布−スパンボンド不織布、ヒートロール不織布、エアースルー不織布等が挙げられ、フィルムとしては、ポリエチレン、ポリプロピレン等の熱可塑性樹脂からなるフィルムが挙げられる。
【００３２】
また、立ち上がりフラップ４および胴回りガード５は、少なくともその内面側に撥水または防水処理された合成繊維不織布を用いることが好ましく、外面側は肌触りの点から撥水または防水処理がなされていない親水化繊維となっていることが好ましいが、疎水性繊維であってもよい。
【００３３】
上記フラップ用弾性糸１７およびガード用弾性糸１８は、上記各弾性糸９〜１１と同様に、ポリウレタン糸などが使用でき、１本のみならず複数本を添設しても良い。
【００３４】
そして、吸収性本体３を取付けた外装シート２は、股部Ｒを境にして前後に２つ折りして、前腹部Ｐと後背部Ｑの両側縁部１ａをそれぞれ接合することにより、パンツ型使い捨ておむつ１として図３の完成状態に組み立てられる。そして、前腹部Ｐと後背部Ｑの上側にはウエスト開口部が形成され、前腹部Ｐと後背部Ｑとの間の股部Ｒ両側にはレッグ開口部Ｓが形成される。
【００３５】
上記のように構成したパンツ型使い捨ておむつ１は、外装シート２に取付けた吸収性本体３の両側部に立ち上がりフラップ４の基端部４ｂを接着するとともに、この立ち上がりフラップ４の前部上方および後部上方を覆う胴回りガード５の両端部５ａおよび外端部５ｂを外装シート２に接着ｂして、この胴回りガード５の内面に立ち上がりフラップの前部および後部の上折り返し部（自由端部）４ａをそれぞれ接着ａしたものである。
【００３６】
したがって、胴回りガード５の内端部（自由端部）５ｃ側がガード用弾性糸１８の弾性力で立ち上がると、その立ち上がり力によって、立ち上がりフラップ４の前部および後部の上折り返し部（自由端部）４ａも立ち上げられるようになるから、着用者が仰臥位（上向きに寝る）姿勢や側臥位（横向に寝る）姿勢で排尿等をした時に、吸収性本体３では吸収しきれなかった尿等が胴回りガード５のポケットに入ると、胴回りガード５によってウエスト開口部からの尿等の漏れが防止できるとともに、立ち上がりフラップ４の前部と後部も立ち上がるので、この部分からの尿等の横漏れも防止できるようになる。
【００３７】
また、左右の立ち上がりフラップ４の前部と後部とは、従来のように吸収性本体３の表面に接合しないことから、その分だけ吸収性本体３の吸収面積が広がるので、吸収効率が向上するようになる。
【００３８】
なお、立ち上がりフラップ４の前端部と後端部とを胴回りガード５の内面に接着すると、左右の立ち上がりフラップ４と前後の胴回りガード５とで四周囲が密閉された箱状となるので、尿等の横漏れを完全に防止できるようになる。
【００３９】
【発明の効果】
以上の説明からも明らかなように、本発明は、胴回りガードの内面に立ち上がりフラップの前部および後部の自由端部をそれぞれ接合することにより、胴回りガードの自由端部側が弾性部材の弾性力で立ち上がると、その立ち上がり力によって、立ち上がりフラップの前部および後部の自由端部も立ち上げられるようになるから、着用者が仰臥位（上向きに寝る）姿勢や側臥位（横向に寝る）姿勢で排尿等をした時に、吸収性本体では吸収しきれなかった尿等が胴回りガードのポケットに入ると、胴回りガードによってウエスト開口部からの尿等の漏れが防止できるとともに、立ち上がりフラップの前部と後部も立ち上がるので、この部分からの尿等の横漏れも防止できるようになる。また、左右の立ち上がりフラップの前部と後部とは、従来のように吸収性本体の表面に接合しないことから、その分だけ吸収性本体の吸収面積が広がるので、吸収効率が向上するようになる。
【図面の簡単な説明】
【図１】  パンツ型使い捨ておむつの分解斜視図である。
【図２】  展開状態の平面図である。
【図３】  完成状態の正面図である。
【図４】  胴回りガードと立ち上がりフラップの立ち上がった状態の模式斜視図である。
【図５】  （ａ）は胴回りガードと立ち上がりフラップの立ち上がっていない状態、（ｂ）は立ち上がった状態のそれぞれ図２のＡ−Ａ線断面に相当する模式図である。
【図６】  （ａ）は胴回りガードと立ち上がりフラップの立ち上がっていない状態、（ｂ）は立ち上がった状態のそれぞれ図２のＢ−Ｂ線断面に相当する模式図である。
【符号の説明】
１    パンツ型使い捨ておむつ
２    外装シート
３    吸収性本体
４    立ち上がりフラップ
４ａ  上折り返し部（自由端部）
５    胴回りガード
５ａ  両縁部
５ｂ  外端部
５ｃ  内端部（自由端部）
１７  フラップ用弾性糸
１８  ガード用弾性糸
Ｐ    前腹部
Ｑ    後背部
Ｒ    股部
Ｓ    レッグ開口部
【図１】
0003884292.tif 000002
【図２】
0003884292.tif 000003
【図３】
0003884292.tif 000004
【図４】
0003884292.tif 000005
【図５】
0003884292.tif 000006
【図６】
0003884292.tif 000007